(57)【要約】【課題】広帯域で水平偏波及び垂直偏波の両方に対応可能であり、部品点数や製造工数の増加を発生させることのないアンテナを備えた電子機器を提供する。【解決手段】電子機器の導電性筐体もしくは導電性フレームの角部の直交する水平面と垂直面との２面うちの一方の面に曲線部を含むスロットが設けられ、前記角部の他方の面に直線部で構成されたスロットが設けられ、２つの前記スロットが接近する位置を給電部としたスロットアンテナと、前記給電部に伝送手段を介して接続された無線通信回路と、を有することを特徴とする。【選択図】図１
2010187152.tif 000002
【特許請求の範囲】
【請求項１】
電子機器の導電性筐体もしくは導電性フレームの角部の直交する水平面と垂直面との２面うちの一方の面に曲線部を含むスロットが設けられ、前記角部の他方の面に直線部で構成されたスロットが設けられ、２つの前記スロットが接近する位置を給電部としたスロットアンテナと、
前記給電部に伝送手段を介して接続された無線通信回路と、
を有することを特徴とする電子機器。
【請求項２】
電子機器の導電性筐体もしくは導電性フレームの角部の直交する水平面と垂直面との２面うちの一方の面に曲線部を含むスロットが設けられ、前記角部の他方の面に直線部で構成されたスロットが設けられ、２つの前記スロットが接近する位置を給電部とした第一スロットアンテナと、
電子機器の導電性筐体もしくは導電性フレーム上で前記２面と直交する面を有し前記角部とは別の角部の直交する水平面と垂直面との２面うちの一方の面に曲線部を含むスロットが設けられ、該角部の他方の面に直線部で構成されたスロットが設けられ、２つの前記スロットが接近する位置を給電部とした第二スロットアンテナと、
前記給電部に伝送手段を介して接続された無線通信回路と、
を有することを特徴とする電子機器。
【請求項３】
前記電子機器の使用状態において、
前記第二スロットアンテナが設けられる前記角部は、少なくとも、前記第一スロットアンテナが設けられた前記角部における前記２面と直交する面を有する、
ことを特徴とする請求項２に記載の電子機器。
【請求項４】
前記曲線部を含むスロットは前記給電部とされた部分を円弧上に有する半円形状であり、
前記直線部で構成されたスロットは前記給電部とされた部分を平行短辺上に有する台形状である、
ことを特徴とする請求項１〜３のいずれか一項に記載の電子機器。
【請求項５】
前記曲線部を含むスロットは前記給電部とされた部分を円弧の端部に有する四分の一円形状であり、
前記直線部で構成されたスロットは前記給電部とされた部分を平行短辺端部に有する台形状である、
ことを特徴とする請求項１〜３のいずれか一項に記載の電子機器。
【請求項６】
電子機器の導電性筐体もしくは導電性フレームの角部の直交する水平面と垂直面との２つの面にまたがるように曲線部を含むスロットが設けられ、前記角部の２つの面にまたがるように直線部で構成されたスロットが設けられ、２つの前記スロットが接近する（前記角部上の）位置を給電部としたスロットアンテナと、
前記給電部に伝送手段を介して接続された無線通信回路と、
を有することを特徴とする電子機器。
【請求項７】
電子機器の導電性筐体もしくは導電性フレームの角部の直交する水平面と垂直面との２つの面にまたがるように曲線部を含むスロットが設けられ、前記角部の２つの面にまたがるように直線部で構成されたスロットが設けられ、２つの前記スロットが接近する（前記角部上の）位置を給電部とした第一スロットアンテナと、
電子機器の導電性筐体もしくは導電性フレーム上で前記２面と直交する面を有し前記角部とは別の角部の直交する２つの面にまたがるように曲線部を含むスロットが設けられ、該角部の２つの面にまたがるように直線部で構成されたスロットが設けられ、２つの前記スロットが接近する（前記角部上の）位置を給電部とした第二スロットアンテナと、
前記給電部に伝送手段を介して接続された無線通信回路と、
を有することを特徴とする電子機器。
【請求項８】
前記電子機器の使用状態において、
前記第二スロットアンテナが設けられる前記角部は、少なくとも、前記第一スロットアンテナが設けられた前記角部における前記２面と直交する面を有する、
ことを特徴とする請求項７に記載の電子機器。
【請求項９】
前記曲線部を含むスロットは前記給電部とされた部分を円弧上に有する半円形状であり、
前記直線部で構成されたスロットは前記給電部とされた部分を平行短辺上に有する台形状である、
ことを特徴とする請求項１〜３のいずれか一項に記載の電子機器。
【請求項１０】
前記電子機器は、医療機器であり、
該医療機器のいずれかの角部に、前記スロットアンテナが配置されている、
ことを特徴とする請求項１〜８のいずれか一項に記載の電子機器。
【請求項１１】
前記電子機器は、事務用電子機器であり、
該事務用電子機器の開閉可能な可動部の自由端の角部に、前記スロットアンテナが配置されている、
ことを特徴とする請求項１〜８のいずれか一項に記載の電子機器。
【発明の詳細な説明】
【技術分野】
【０００１】
本発明は、無線通信用のスロットアンテナを備えた電子機器に関する。
【背景技術】
【０００２】
近年、パーソナルコンピュータ、複写機、プリンタ装置等の電子機器に無線通信機能を持たせ、ＬＡＮ（ローカル・エリア・ネットワーク）を無線化した無線ＬＡＮなどがオフィスや家庭などで普及している。
【０００３】
また、医療機器の分野においても、電子カルテシステムへの対応のためと、病院内の機器の移動のために、無線ＬＡＮ対応が望まれている。
例えば、特許文献１には、アンテナ素子を構成し、そのアンテナ素子をノート型パソコンに設ける技術が記載されている。
【０００４】
また、特許文献２においても、アンテナ素子を構成し、そのアンテナ素子をノート型パソコンの蓋部の端面に配置し、無指向性を実現するアンテナを設ける技術が記載されている。
【０００５】
また、従来は、金属板にスロットを形成してアンテナとして機能せしめるスロット型のアンテナが知られている。例えば、特許文献４には、スロット型のボウタイアンテナにおいて、無給電素子を付加することにより比較的広帯域な特性が得られることが記載されている。
【０００６】
また、特許文献５には、略正方形状の給電スロットの互いに対向する面から、当該給電スロット内側に向けてインピーダンス整合用のスタブを給電線路に沿って設けることにより、広帯域特性を得る偏波アンテナ装置が記載されている。
【０００７】
さらに、特許文献６には、伝送線路を基準として左右対称となるような形状のスロットを組み合わせて形成し、スロットの形状が大きくなるほど伝送線路上のスロットの幅を大きくする、広帯域のスロット型のボウタイアンテナが記載されている。
【先行技術文献】
【特許文献】
【０００８】
【特許文献１】特開２００４−１０４３３３号公報
【特許文献２】特開２００３−３１８６２２号公報
【特許文献３】特開２００３−０７８３４５号公報
【特許文献４】特開２００４−３４９９２８号公報
【特許文献５】特開２００５−２３６６７２号公報
【発明の概要】
【発明が解決しようとする課題】
【０００９】
アンテナから送受信される電波は、そのアンテナの設置状況に応じて垂直偏波であるか水平偏波であるかが変わってくる。そこで、偏波によらず電波の送受信を行うために、電子機器に設置するアンテナは垂直偏波及び水平偏波の両方に対応したものであることが好ましい。
【００１０】
しかしながら、特許文献１及び特許文献２に記載の発明では、アンテナの構造上、垂直偏波又は水平偏波のどちらか一方にのみ対応したアンテナであるため、１つのアンテナでは垂直偏波及び水平偏波の両方に対応することができず、垂直偏波及び水平偏波の両方に対応するためには、複数個のアンテナを設ける必要があるという問題がある。
【００１１】
また、アンテナ素子を別部品として製造し、電子機器の筐体に配置する必要があり、部品点数の増加、部品（アンテナ）取り付けの製造工数の増加が発生し、製造コストや信頼性に問題を発生している。
【００１２】
また、アンテナの無指向性を実現する場合、一般的にはＸＹ平面（水平面）内だけを想定しているが、機器の配置、アンテナが設置された箇所の向きなどにより、ＸＹ平面内だけの無指向性であると、実際の電子機器の使用状態において無指向性を実現することができない問題がある。
【００１３】
ところで、近年は、電波の出力を絞る代わりに3.1G〜10.6GHz帯という広帯域を利用して高速通信を行うＵＷＢ（Ultra Wide Band）と呼ばれる技術が実用化されつつある。そして、このＵＷＢの広帯域を利用したマルチバンドのＯＦＤＭ（Orthogonal Frequency Division Multiplexing）では、伝送距離が3メートル以内なら速度は最大480Mbpsを実現するとされている。これにより、高精細の画像データや映像データを送受信することが可能になる。ただし、このような広帯域のアンテナを設計することは難しく、また、このような広帯域のアンテナを無指向性に設計することは更に難しい。
【００１４】
特許文献４や特許文献５に記載の発明は、得られるアンテナ装置の帯域特性がＵＷＢ用として用いることができるほどではないという問題があった。
また、特許文献６に記載の発明は、左右対称となるような形状のスロットの組み合わせに限定されているため、共振周波数が２つしか得られず広い周波数帯域でＶＳＷＲ特性を低くすることができないという問題があった。
【００１５】
本発明の第一の目的は、広帯域のアンテナで水平偏波及び垂直偏波の両方に対応可能であり、部品点数や製造工数の増加を発生させることのないアンテナを備えた電子機器を提供することである。
【００１６】
本発明の第二の目的は、広帯域のアンテナで水平偏波及び垂直偏波の両方に対応しつつ無指向性を実現可能であり、部品点数や製造工数の増加を発生させることのないアンテナを備えた電子機器を提供することである。
【課題を解決するための手段】
【００１７】
すなわち、前記した課題は、以下に列記する各発明によって解決される。
（１）請求項１記載の発明は、電子機器の導電性筐体もしくは導電性フレームの角部の直交する水平面と垂直面との２面うちの一方の面に曲線部を含むスロットが設けられ、前記角部の他方の面に直線部で構成されたスロットが設けられ、２つの前記スロットが接近する位置を給電部としたスロットアンテナと、前記給電部に伝送手段を介して接続された無線通信回路と、を有することを特徴とする電子機器である。
【００１８】
（２）請求項２記載の発明は、電子機器の導電性筐体もしくは導電性フレームの角部の直交する水平面と垂直面との２面うちの一方の面に曲線部を含むスロットが設けられ、前記角部の他方の面に直線部で構成されたスロットが設けられ、２つの前記スロットが接近する位置を給電部とした第一スロットアンテナと、電子機器の導電性筐体もしくは導電性フレーム上で前記２面と直交する面を有し前記角部とは別の角部の直交する水平面と垂直面との２面うちの一方の面に曲線部を含むスロットが設けられ、該角部の他方の面に直線部で構成されたスロットが設けられ、２つの前記スロットが接近する位置を給電部とした第二スロットアンテナと、前記給電部に伝送手段を介して接続された無線通信回路と、を有することを特徴とする電子機器である。
【００１９】
（３）請求項３記載の発明は、前記電子機器の使用状態において、前記第二スロットアンテナが設けられる前記角部は、少なくとも、前記第一スロットアンテナが設けられた前記角部における前記２面と直交する面を有する、ことを特徴とする請求項２に記載の電子機器である。
【００２０】
（４）請求項４記載の発明は、前記曲線部を含むスロットは前記給電部とされた部分を円弧上に有する半円形状であり、前記直線部で構成されたスロットは前記給電部とされた部分を平行短辺上に有する台形状である、ことを特徴とする請求項１〜３のいずれか一項に記載の電子機器である。
【００２１】
（５）請求項５記載の発明は、前記曲線部を含むスロットは前記給電部とされた部分を円弧の端部に有する四分の一円形状であり、前記直線部で構成されたスロットは前記給電部とされた部分を平行短辺端部に有する台形状である、ことを特徴とする請求項１〜３のいずれか一項に記載の電子機器である。
【００２２】
（６）請求項６記載の発明は、電子機器の導電性筐体もしくは導電性フレームの角部の直交する水平面と垂直面との２つの面にまたがるように曲線部を含むスロットが設けられ、前記角部の２つの面にまたがるように直線部で構成されたスロットが設けられ、２つの前記スロットが接近する（前記角部上の）位置を給電部としたスロットアンテナと、前記給電部に伝送手段を介して接続された無線通信回路と、を有することを特徴とする電子機器である。
【００２３】
（７）請求項７記載の発明は、電子機器の導電性筐体もしくは導電性フレームの角部の直交する水平面と垂直面との２つの面にまたがるように曲線部を含むスロットが設けられ、前記角部の２つの面にまたがるように直線部で構成されたスロットが設けられ、２つの前記スロットが接近する（前記角部上の）位置を給電部とした第一スロットアンテナと、電子機器の導電性筐体もしくは導電性フレーム上で前記２面と直交する面を有し前記角部とは別の角部の直交する２つの面にまたがるように曲線部を含むスロットが設けられ、該角部の２つの面にまたがるように直線部で構成されたスロットが設けられ、２つの前記スロットが接近する（前記角部上の）位置を給電部とした第二スロットアンテナと、前記給電部に伝送手段を介して接続された無線通信回路と、を有することを特徴とする電子機器である。
【００２４】
（８）請求項８記載の発明は、前記電子機器の使用状態において、前記第二スロットアンテナが設けられる前記角部は、少なくとも、前記第一スロットアンテナが設けられた前記角部における前記２面と直交する面を有する、ことを特徴とする請求項７に記載の電子機器である。
【００２５】
（９）請求項９記載の発明は、前記曲線部を含むスロットは前記給電部とされた部分を円弧上に有する半円形状であり、前記直線部で構成されたスロットは前記給電部とされた部分を平行短辺上に有する台形状である、ことを特徴とする請求項１〜３のいずれか一項に記載の電子機器である。
【００２６】
（１０）請求項１０記載の発明は、前記電子機器は、医療機器であり、該医療機器のいずれかの角部に、前記スロットアンテナが配置されている、ことを特徴とする請求項１〜８のいずれか一項に記載の電子機器である。
【００２７】
（１１）請求項１１記載の発明は、前記電子機器は、事務用電子機器であり、該事務用電子機器の開閉可能な可動部の自由端の角部に、前記スロットアンテナが配置されている、ことを特徴とする請求項１〜８のいずれか一項に記載の電子機器である。
【発明の効果】
【００２８】
（１）この発明では、電子機器の導電性筐体もしくは導電性フレームの角部の直交する水平面と垂直面との２面うちの一方の面に曲線部を含むスロットが設けられ、前記角部の他方の面に直線部で構成されたスロットが設けられ、２つの前記スロットが接近する位置を給電部としたスロットアンテナを備えることで、伝送線路から給電された電流が給電部からスロットの形状に沿って伝送されて電波の送受信が行われ、水平面部分のスロットでは垂直偏波に対応でき、垂直面部分のスロットでは水平偏波に対応できる。
【００２９】
また、曲線部を含むスロットと直線部で構成されたスロットのように、スロットの形状は平面視形状の異なるものの組み合せであるので、送受信される電波の共振周波数もスロットの平面視形状に応じて異なることとなり、広帯域に対応することが可能になる。
【００３０】
また、電子機器の導電性筐体もしくは導電性フレームそのものにスロットを設けることで、筐体そのものがアンテナとなるため、部品点数や取り付け工数の増加の発生させることがない。
【００３１】
この結果、広帯域で水平偏波及び垂直偏波の両方に対応可能であり、部品点数や製造工数の増加を発生させることのないアンテナを備えた電子機器を提供することが可能になる。
【００３２】
（２）この発明では、電子機器の導電性筐体もしくは導電性フレームの角部の直交する一方の面に曲線部を含むスロットが設けられ、前記角部の他方の面に直線部で構成されたスロットが設けられ、２つの前記スロットが接近する位置を給電部とした第一スロットアンテナと、電子機器の導電性筐体もしくは導電性フレーム上で前記２面と直交する面を有し前記角部とは別の角部の直交する一方の面に曲線部を含むスロットが設けられ、該角部の他方の面に直線部で構成されたスロットが設けられ、２つの前記スロットが接近する位置を給電部とした第二スロットアンテナと、を備えることで、伝送線路から給電された電流が給電部からスロットの形状に沿って伝送されて電波の送受信が行われ、Ｚ軸方向のスロットではＸＹ平面の無指向性の水平偏波に対応でき、Ｘ軸方向のスロットではＺＹ平面の垂直偏波に対応でき、Ｙ軸方向のスロットではＸＺ平面の垂直偏波に対応できる。
【００３３】
また、曲線部を含むスロットと直線部で構成されたスロットのように、スロットの形状は平面視形状の異なるものの組み合せであるので、送受信される電波の共振周波数もスロットの平面視形状に応じて異なることとなり、広帯域に対応することが可能になる。
【００３４】
また、電子機器の導電性筐体もしくは導電性フレームそのものにスロットを設けることで、筐体そのものがアンテナとなるため、部品点数や取り付け工数の増加の発生させることがない。
【００３５】
この結果、最低限の素子で水平偏波及び垂直偏波の両方に対応しつつ、各方向の無指向性を実現可能であり、部品点数や製造工数の増加を発生させることのないアンテナを備えた電子機器を提供することが可能になる。
【００３６】
（３）なお、以上の（２）の電子機器の発明では、該電子機器の使用状態において、第二スロットアンテナが設けられる角部は、少なくとも、第一スロットアンテナが設けられた角部における２面と直交する面を有するように構成されているため、機器使用状態において水平偏波及び垂直偏波の両方に対応しつつ各方向の無指向性を実現可能である。
【００３７】
（４）なお、以上の（１）〜（３）の電子機器の発明では、曲線部を含むスロットは給電部とされた部分を円弧上に有する半円形状であるため、伝送線路からの電流がスロットの両側縁に沿って弧状に流れやすい形状のスロットを金属板に設けることにより、インピーダンス整合がとりやすくなるため、スロットアンテナのリターンロスの低減が可能である。直線部で構成されたスロットは給電部とされた部分を平行短辺上に有する台形状であるため、当該辺部の長さ寸法を調整することによって容易かつ柔軟に入力インピーダンスの調整が可能である。
【００３８】
よって、スロットアンテナの特性の広帯域化が可能であるとともに、伝送線路のインピーダンスに応じた調整が容易である。この結果、最低限の素子で水平偏波及び垂直偏波の両方に対応しつつ、各方向の無指向性を実現可能であり、部品点数や製造工数の増加を発生させることのないアンテナを備えた電子機器を提供することが可能になる。
【００３９】
（５）なお、以上の（１）〜（３）の電子機器の発明では、曲線部を含むスロットは前記給電部とされた部分を円弧の端部に有する四分の一円形状であり、伝送線路からの電流がスロットの両側縁に沿って弧状に流れやすい形状のスロットを金属板に設けることにより、インピーダンス整合がとりやすくなるため、スロットアンテナのリターンロスの低減が可能である。直線部で構成されたスロットは前記給電部とされた部分を平行短辺端部に有する台形状である、当該辺部の長さ寸法を調整することによって容易かつ柔軟に入力インピーダンスの調整が可能である。
【００４０】
よって、スロットアンテナの特性の広帯域化が可能であるとともに、伝送線路のインピーダンスに応じた調整が容易である。この結果、最低限の素子で水平偏波及び垂直偏波の両方に対応しつつ、各方向の無指向性を実現可能であり、部品点数や製造工数の増加を発生させることのないアンテナを備えた電子機器を提供することが可能になる。
【００４１】
（６）この発明では、電子機器の導電性筐体もしくは導電性フレームの角部の直交する２つの面にまたがるように曲線部を含むスロットが設けられ、前記角部の２つの面にまたがるように直線部で構成されたスロットが設けられ、２つの前記スロットが接近する（前記角部上の）位置を給電部としたスロットアンテナを備えることで、伝送線路から給電された電流が給電部からスロットの形状に沿って伝送されて電波の送受信が行われ、スロットの水平面部分では垂直偏波に対応でき、スロットの垂直面部分では水平偏波に対応できる。
【００４２】
また、曲線部を含むスロットと直線部で構成されたスロットのように、スロットの形状は平面視形状の異なるものの組み合せであるので、送受信される電波の共振周波数もスロットの平面視形状に応じて異なることとなり、広帯域に対応することが可能になる。
【００４３】
また、電子機器の導電性筐体もしくは導電性フレームそのものにスロットを設けることで、筐体そのものがアンテナとなるため、部品点数や取り付け工数の増加の発生させることがない。
【００４４】
この結果、広帯域で水平偏波及び垂直偏波の両方に対応可能であり、部品点数や製造工数の増加を発生させることのないアンテナを備えた電子機器を提供することが可能になる。
【００４５】
（７）この発明では、電子機器の導電性筐体もしくは導電性フレームの角部の直交する２つの面にまたがるように曲線部を含むスロットが設けられ、前記角部の２つの面にまたがるように直線部で構成されたスロットが設けられ、２つの前記スロットが接近する（前記角部上の）位置を給電部とした第一スロットアンテナと、電子機器の導電性筐体もしくは導電性フレーム上で前記２面と直交する面を有し前記角部とは別の角部の直交する２つの面にまたがるように曲線部を含むスロットが設けられ、該角部の２つの面にまたがるように直線部で構成されたスロットが設けられ、２つの前記スロットが接近する（前記角部上の）位置を給電部とした第二スロットアンテナと、を備えることで、伝送線路から給電された電流が給電部からスロットの形状に沿って伝送されて電波の送受信が行われ、スロットの水平面部分では垂直偏波に対応でき、スロットの垂直面部分では水平偏波に対応できる。
【００４６】
ここで、スロットのＺ軸方向ではＸＹ平面の無指向性の水平偏波に対応でき、スロットのＸ軸方向ではＺＹ平面の垂直偏波に対応でき、スロットのＹ軸方向ではＸＺ平面の垂直偏波に対応できる。
【００４７】
また、曲線部を含むスロットと直線部で構成されたスロットのように、スロットの形状は平面視形状の異なるものの組み合せであるので、送受信される電波の共振周波数もスロットの平面視形状に応じて異なることとなり、広帯域に対応することが可能になる。
【００４８】
また、電子機器の導電性筐体もしくは導電性フレームそのものにスロットを設けることで、筐体そのものがアンテナとなるため、部品点数や取り付け工数の増加の発生させることがない。
【００４９】
この結果、広帯域で水平偏波及び垂直偏波の両方に対応しつつ、各方向の無指向性を実現可能であり、部品点数や製造工数の増加を発生させることのないアンテナを備えた電子機器を提供することが可能になる。
【００５０】
（８）なお、以上の（７）の電子機器では、該電子機器の使用状態において、第二スロットアンテナが設けられる角部は、少なくとも、第一スロットアンテナが設けられた角部における２面と直交する面を有するように構成されているため、機器使用状態において水平偏波及び垂直偏波の両方に対応しつつ各方向の無指向性を実現可能である。
【００５１】
（９）なお、以上の（７）〜（８）の電子機器の発明では、曲線部を含むスロットは給電部とされた部分を円弧上に有する半円形状であるため、伝送線路からの電流がスロットの両側縁に沿って弧状に流れやすい形状のスロットを金属板に設けることにより、インピーダンス整合がとりやすくなるため、スロットアンテナのリターンロスの低減が可能である。直線部で構成されたスロットは給電部とされた部分を平行短辺上に有する台形状であるため、当該辺部の長さ寸法を調整することによって容易かつ柔軟に入力インピーダンスの調整が可能である。
【００５２】
よって、スロットアンテナの特性の広帯域化が可能であるとともに、伝送線路のインピーダンスに応じた調整が容易である。この結果、最低限の素子で水平偏波及び垂直偏波の両方に対応しつつ、各方向の無指向性を実現可能であり、部品点数や製造工数の増加を発生させることのないアンテナを備えた電子機器を提供することが可能になる。
【００５３】
（１０）なお、以上の（１）〜（９）の電子機器は、医療機器であり、該医療機器において水平偏波及び垂直偏波の両方に対応可能になり、安定した通信を実現することが可能になる。
【００５４】
（１１）なお、以上の（１）〜（９）の電子機器は、事務用電子機器であり、該事務用電子機器の使用時、すなわち、蓋やディスプレイなどが使用状態にされた際において水平偏波及び垂直偏波の両方に対応可能になり、使用時において安定した通信を実現することが可能になる。
【図面の簡単な説明】
【００５５】
【図１】第１実施形態に係る電子機器の概略構成を示す斜視図である。
【図２】第１実施形態におけるスロットアンテナを示す拡大図である。
【図３】第１実施形態におけるスロットアンテナ（折り曲げ前）を示す拡大図である。
【図４】第１実施形態におけるスロットアンテナの特性を示す特性図である。
【図５】第１実施形態におけるスロットアンテナの特性を示す特性図である。
【図６】第２実施形態に係る電子機器の概略構成を示す斜視図である。
【図７】第２実施形態におけるスロットアンテナを示す拡大図である。
【図８】第２実施形態におけるスロットアンテナの特性を示す特性図である。
【図９】第３実施形態に係る電子機器の概略構成を示す斜視図である。
【図１０】第３実施形態におけるスロットアンテナの特性を示す特性図である。
【図１１】第４実施形態に係る電子機器の概略構成を示す斜視図である。
【図１２】第５実施形態におけるスロットアンテナを示す説明図である。
【図１３】第５実施形態におけるスロットアンテナを示す特性図である。
【図１４】第５実施形態におけるスロットアンテナを示す特性図である。
【図１５】第６実施形態におけるスロットアンテナを示す説明図である。
【図１６】第６実施形態におけるスロットアンテナを示す特性図である。
【図１７】第６実施形態におけるスロットアンテナを示す特性図である。
【発明を実施するための形態】
【００５６】
以下に、本発明に係るスロットアンテナを備えた電子機器の実施形態について、図面を参照して説明する。ただし、発明の範囲を図示例に限定するものではない。
〔第１実施形態〕
以下、本発明を適用した具体的な実施の形態としての電子機器について、図面を参照しながら詳細に説明する。本実施の形態では、電子機器の具体例として事務用電子機器、すなわちノート型パソコンを例示して説明する。
【００５７】
図１は、本実施形態に係る電子機器としてのノート型パソコン１０を背面側からみた斜視図である。この図において、大地に垂直な方向をＺ方向、大地に水平な方向をＸＹ方向とする。また、この明細書内では、基本的に、ノート型パソコン１０の利用者の使用時における左右方向をＸ方向、ノート型パソコン１０の利用者の使用時における奥行き方向をＹ方向としている。
【００５８】
ノート型パソコン１０は、電子回路やキーボードなどを有する装置本体部１１と、ディスプレイを有する蓋部１２とがヒンジ部１３により連結され、該ヒンジ部１３を介して２つに折りたたみできるように構成されている。
【００５９】
装置本体部１１の上面には、文字や記号などの入力を行うためのキーボード１４が備えられている。また、装置本体部１１の内部には、無線通信回路、及び、ノート型パソコン１０の各種演算処理を行うＣＰＵ（Central Processing Unit）等が内蔵されている。
【００６０】
また、折りたたんだ際に蓋部１２のキーボード１４と対向する面には、ＬＣＤ（Liquid Crystal Display）などのディスプレイが備えられており、ＣＰＵにより処理されたデータはディスプレイに出力表示される。
【００６１】
なお、この実施形態では、ノート型パソコン１０の蓋部１２は、導電性の筐体で構成されているものとする。あるいは、筐体表面が樹脂などの非導電性の部材である場合には、その内部に導電性のフレームが存在するものとする。
【００６２】
ここで、蓋部１２の自由端の角部は、導電性筐体の側面の角部で直交する水平面と垂直面との２面であるものとし、該２面に設けられたスロットで構成されるＬ字状のスロットアンテナＳ１が形成されている。なお、図２は、以上のスロットアンテナＳ１を拡大して示す拡大図である。
【００６３】
図２に示すように、スロットアンテナＳ１は、ノート型パソコン１０の使用状態（蓋部２が開かれた状態）において、導電性筐体の角部で直交する水平面と垂直面との２面に設けられたスロットで構成されるＬ字状のスロットアンテナであり、該スロットの中間部付近の２点に無線通信回路からの給電がなされるように構成されている。なお、この図２では、給電は筐体内側からなされるため、図示されていない。
【００６４】
そして、ここでは、電子機器の導電性筐体もしくは導電性フレームの角部の直交する水平面と垂直面との２面うちの一方の面（図１，図２では水平面）に曲線部を含むスロットが設けられている。この曲線部を含むスロットは、給電部とされた部分を円弧上に有する半円形状であることが望ましい。
【００６５】
また、電子機器の導電性筐体もしくは導電性フレームの角部の直交する水平面と垂直面との２面うちの他方の面（図１，図２では垂直面）に直線部で構成されたスロットが設けられている。この直線部で構成されたスロットは、給電部とされた部分を平行短辺上に有する台形状であることが望ましい。
【００６６】
なお、以上の曲線部を含む半円形状のスロットと直線部で構成された台形状のスロットは、水平面と垂直面とにおいて、図１，図２の例とは逆に配置されていても良い。
なお、ノート型パソコン１０の蓋部１２の筐体表面が樹脂などの非導電性の部材である場合には、その内部に存在する導電性のフレームに、図１や図２と同様なスロットアンテナＳ１配置されているとする。このように、機器の導電性筐体もしくは導電性フレームそのものにスロットを設けることで、筐体そのものがアンテナとなるため、部品点数や取り付け工数の増加の発生させることがない。
【００６７】
図３は、以上のように２面にわたってＬ字状に折り曲げられて配置されたスロットアンテナＳ１を、折り曲げずに、平面上に伸ばした状態で示す原理図である。
この図３に示すように、本実施形態のスロットアンテナＳ１には、平板状の金属層１０３が備えられている。この金属層１０３は、導電性の筐体、あるいは、導電性のフレームやシャーシなど、電子機器に予め備えられたものを用いる。また、金属層１０３の形状や厚みに特に制限はない。また、樹脂に電磁輻射防止の目的で施された、導電性塗装、メッキなどであってもよい。
【００６８】
この金属層１０３には、平面視半円形状の第１スロット１０５と、平面視台形状の第２スロット１０６と、第１スロット１０５の円弧部頂点と第２スロット１０６の上辺中心とを連結するスロット状の給電部１０７と、が設けられている。第１スロット１０５の直線部と第２スロット１０６の下辺とは、略平行になるように形成されている。
【００６９】
なお、第１スロット１０５の平面視形状は半円形に限られず、給電部１０７が連結される辺の両端の角部が曲線を有する、すなわち、弧状に形成されていればよい。ここで、「弧状に形成」とは、第１スロット１０５の給電部１０７が連結される辺部とその両端に連続する側辺に接触するような円を配置し、角部を当該円に沿って弧状に形成することをいう。この際の円の半径Ｒｔが大きいほど、第１スロット１０５の角部の丸みが大きくなり、本実施形態のように平面視半円形状としてもよい。この場合、給電部１０７が連結される辺が円弧となる。なお、円を用いて弧状に形成するものとしたが、楕円を用いて弧状に形成することとしても良い。
【００７０】
また、第２スロット１０６の平面視形状は、第１スロット１０５の形状と異なるものが適用可能である。第２スロット１０６の形状に特に制限は無いが、第２スロット１０６の給電部１０７が連結される辺部とその端に連続する側辺の長さ寸法Ｌ２が第１スロット１０５の給電部１０７が連結される辺部とその端に連続する側辺の長さ寸法Ｌ１と異なる形状が好ましい。スロットアンテナＳ１の共振周波数は、給電部１０７が連結される辺部とその端に連続する側辺の長さ寸法で決定されるため、当該長さ寸法が第１スロット１０５と第２スロット１０６で異なることにより、後述するように、共振点の数が増えてアンテナ特性が向上するためである。
【００７１】
また、第１スロット１０５の円弧部頂点と第２スロット１０６の上辺中心との距離、つまり給電部１０７の長さ寸法、に特に制限はなく、第１スロット１０５及び第２スロット１０６の形状によって好ましい範囲が定まるようになっている。
【００７２】
金属層１０３のいずれかの面には、伝送線路１０８が給電部１０７と接続されている。伝送線路１０８の他端にはスロットアンテナＳ１からの電気信号を送受信処理する信号処理装置等が接続されている。なお、この実施形態の場合には、スロットアンテナＳ１が筐体に形成された場合には、該筐体の内側の面に伝送線路１０８が接続される。筐体内側のシャーシあるいはフレームにスロットアンテナＳ１が形成される場合には、いずれの面であってもよい。
【００７３】
伝送線路１０８として特に制限は無いが、本実施形態においては同軸ケーブルを用いるものとする。伝送線路１０８の外部導体１０９は給電部１０７の一側縁に接続されており、伝送線路１０８の中心導体１１０は給電部１０７の他側縁に接続されている。このようにして、伝送線路１０８と給電部１０７とは電気的に接続されており、伝送線路１０８と給電部１０７との間で電流が流れるようになっている。
【００７４】
そして、スロットアンテナＳ１が電波を送信する場合、信号処理装置からの電気信号に基づいて、伝送線路１０８を介して給電部１０７に所定の振幅及び位相で電流が供給される。給電部１０７に供給された電流は、金属層１０３に入射し、第１スロット１０５及び第２スロットの給電部１０７が連結される辺部とその両端に連続する側辺に沿って流れる。このように、金属層１０３に電流が流れると、スロットアンテナＳ１から電波が送信されるようになっている。
【００７５】
スロットアンテナＳ１が電波を受信する場合、所定の周波数の電波が金属層１０３により受信されると、第１スロット１０５又は第２スロット１０６の側辺に沿って給電部１０７に向かって、受信した電波に応じた振幅及び位相の電圧電流が流れる。そして、給電部１０７に入射した電流は、伝送線路１０８を介して信号処理装置に伝達され、電気信号として処理される。
【００７６】
なお、アンテナ特性の指標の一つとしては、入力電圧と反射電圧の比をデシベルで表したリターンロス［ｄＢ］が挙げられる。リターンロスは反射係数ともいい、その値が低減されているほどアンテナ装置としてマッチングがとれていることを示し、一般にはその値が−１０以下の範囲が使用帯域とされている。また、この入射波と反射波は同一周波数なので位相が一致すると定在波が立つ。そのときの最大振幅と最小振幅の比をVSWR(電圧定在波比）と呼び、VSWRで表示する場合もある。この実施形態では、リターンロスで特性を説明することにする。
【００７７】
この図４に示すように、スロットアンテナＳ１の共振周波数は、給電部１０７から第１スロット１０５又は第２スロット１０６までの距離に基づいて決定される。つまり、給電部１０７から第１スロット１０５の直線部までの距離Ｌ１、給電部１０７から第２スロット１０６の下辺までの距離Ｌ２に基づいて共振点の１／２波長が決定されるようになっている。また、第１スロット１０５の直線部から第２スロット１０６の下辺までの距離Ｌ３に基づいて、共振点の１／２波長が決定されるようになっている。そして、距離Ｌ１、Ｌ２、Ｌ３の相違量が大きくなるほどこれらの共振点の周波数が分散し、より広い周波数領域でリターンロスが低減されるため好ましい。
【００７８】
一方、従来のスロット型のボウタイアンテナ（不図示）の共振周波数は、給電点からスロットの他端までの距離Ｌ４と、スロットの他端同士の距離Ｌ５と、に基づいて決定される。従って、共振周波数の数は２つであり、リターンロスを広い周波数帯域で低減させることができない。
【００７９】
以上のように、本実施形態のスロットアンテナＳ１によれば、少なくとも金属層１０３と伝送線路１０８を備えることによって構成され、かつ、この金属層を電子機器の筐体もしくはフレームで兼用するので、別途放射板等のアンテナ素子を設ける必要がなく構成の簡略化が可能である。従って、従来より装置に備えられている金属板等にスロットを設けて伝送線路１０８を接続するだけでスロットアンテナとして用いることができる。また、送受信される電波の共振周波数が給電部１０７から第１スロット１０５の直線部及び第２スロット１０６の下辺までの距離、つまり、スロットの形状に応じて異なるので、共振周波数の数を増加させてアンテナ特性を向上させることができる。
【００８０】
また、第１スロット１０５の給電部１０７が連結される辺の両端の角部が弧状に形成されているので、伝送線路１０８から金属層１０３への電流が流れやすく、インピーダンス整合がとりやすいため、リターンロスを低減させて給電効率を向上させることができる。
【００８１】
さらに、第１スロット１０５と第２スロット１０６の給電部１０７から他端までの距離Ｌ１，Ｌ２を調整することによって共振周波数を調整することができ、容易かつ柔軟に入力インピーダンスの調整が可能である。
【００８２】
なお、給電部１０７は、第１スロット１０５の円弧頂点及び第２スロット１０６の上辺中心に連結されることとしたが、給電部１０７の連結箇所は、第１スロット１０５の円弧頂点付近及び第２スロット１０６の上辺中心付近であればよい。詳しくは、第１スロット１０５の直径又は第２スロット１０６の上辺の長さ寸法の５％相当幅だけ中心位置からずれた範囲内に設けられていれば良い。
【００８３】
また、第１スロット１０５及び第２スロット１０６の平面視形状は、スロットアンテナＳ１の指向性を均等にするために、給電部１０７の長手方向に沿った中心線を基準軸として軸対称な形状とするのが好ましい。また、第１スロット１０５及び第２スロット１０６の縁は直線状に限られず、曲線や指数関数としてもよい。
【００８４】
さらに、この図２のスロットアンテナＳ１では、垂直面に配置されたＺ方向スロット（Ｓ１ｚ）は水平偏波のアンテナとして作用するものである。そして、スロットアンテナＳ１の水平偏波のＸＹ平面（水平面）における指向性は、図５（ａ）に示すごとく略無指向性となっている。
【００８５】
また、この図２のスロットアンテナＳ１では、水平面に配置されたＸ方向スロット（Ｓ１ｘ）は垂直偏波のアンテナとして作用するものである。そして、スロットアンテナＳ１の垂直偏波はＹＺ平面には略無指向性であるが、他の機器と通信する際に有効なＸＹ平面（水平面）における指向性は、図５（ｂ）に示すごとく、Ｙ方向に指向性を有し、Ｘ方向には感度を有しない状態になっている。
【００８６】
そして、また、スロットアンテナＳ１は、装置本体部１１に内蔵された無線通信回路と接続されており、無線通信回路は、ＲＦ（Radio Frequency：高周波）回路、ＲＯＭ（Read Only Memory） 、ＲＡＭ（Random Access Memory）、及びこれらを制御するＣＰＵ等を備えて構成されている。そして、スロットアンテナＳ１は、無線ＬＡＮやワイヤレスＵＳＢなどの用途に使用される。
【００８７】
スロットアンテナＳ１から例えばプリンタ等の外部機器に対して電波を送信する場合、装置本体部１１の制御部より供給されたデータは無線通信回路で変換され、スロットアンテナＳ１に供給される。一方、スロットアンテナＳ１が外部機器より電波を受信する場合、スロットアンテナＳ１により受信した電波は無線通信回路により変換され、装置本体部１１の制御部に供給される。 
【００８８】
次に、本実施形態の電子機器としてのノート型パソコン１０の通信動作について説明する。 所定の周波数の電波が外部機器より送信されると、この外部機器から送信された電波の偏波（垂直偏波／水平偏波）に応じて、水平偏波であればＺ方向スロットに高周波信号が誘起され、垂直偏波であればＸ方向スロットに高周波信号が誘起される。そして、この高周波信号は給電部から同軸ケーブルなどにより無線通信回路内の受信回路で処理され、復調されたデータがＣＰＵ等で処理される。
【００８９】
一方、スロットアンテナＳ１が電波を送信する場合、ＣＰＵ等の制御により無線通信回路内の送信回路で高周波信号が生成され、この高周波信号は同軸ケーブルなどを介して給電部からスロットアンテナＳ１に供給される。そして、スロットアンテナＳ１から外部機器に対して電波が送信される。この場合、Ｘ方向スロットからは垂直偏波の送信がなされ、Ｚ方向スロットからは水平偏波の送信がなされる。
【００９０】
この実施形態のノート型パソコン１０では、機器の導電性筐体もしくは導電性フレームの角部で直交する水平面と垂直面との２面に、Ｌ字状に設けられたスロットで構成されるスロットアンテナＳ１を備えるため、水平面部分のスロットでは垂直偏波に対応でき、垂直面部分のスロットでは水平偏波に対応できる。また、電子機器の導電性筐体もしくは導電性フレームそのものにスロットを設けることで、筐体そのものがアンテナとなるため、部品点数や取り付け工数の増加の発生させることがない。この結果、広帯域で水平偏波及び垂直偏波の両方に対応可能であり、部品点数や製造工数の増加を発生させることのないアンテナを備えた電子機器を提供することが可能になる。
【００９１】
なお、以上の実施形態の説明では、電子機器として、事務用電子機器のノート型パソコン１０を具体例にしてきたが、これに限定されるものではない。たとえば、事務用電子機器として、据え置き型パソコン、据え置き型パソコンのディスプレイ、複写機、医療用機器（医療用コンソールや医療用診断（治療）機器）など、各種の電子機器に、以上の実施形態を適用して良好な結果を得ることが可能になる。
【００９２】
〔第２実施形態〕
図６は、第２実施形態に係る電子機器としてのノート型パソコン２０を正面側からみた斜視図である。この第２実施形態のノート型パソコン２０では、蓋部２２の自由端と本体部２１の２つの角部に、それぞれスロットアンテナＳ１，Ｓ２が設けられている。
【００９３】
２つのスロットアンテナＳ１，Ｓ２のぞれぞれの基本的な構成は、第１実施形態のスロットアンテナＳ１と同様である。また、２つのスロットアンテナＳ１，Ｓ２が設けられている以外の構成の説明は、第１実施形態と同様なので省略する。 
【００９４】
図７は２つのスロットアンテナＳ１，Ｓ２の配置を例示した図であり、図７（ａ）はスロットアンテナＳ１の配置を拡大して示した図であり、図７（ｂ）はスロットアンテナＳ２の配置を拡大して示した図である。
【００９５】
この第２実施形態においても、第１実施形態として図４で説明したものと同様に、スロットアンテナＳ１〜Ｓ２について、距離Ｌ１、Ｌ２、Ｌ３の相違量が大きくなるほどこれらの共振点の周波数が分散し、従来のスロット型ボウタイアンテナ（不図示）と比較しても、より広い周波数領域でリターンロスが低減されるため好ましい。また、第１スロット１０５の給電部１０７が連結される辺の両端の角部が弧状に形成されているので、伝送線路１０８から金属層１０３への電流が流れやすく、インピーダンス整合がとりやすいため、リターンロスを低減させて給電効率を向上させることができる。さらに、第１スロット１０５と第２スロット１０６の給電部１０７から他端までの距離Ｌ１，Ｌ２を調整することによって共振周波数を調整することができ、容易かつ柔軟に入力インピーダンスの調整が可能である。また、第１スロット１０５及び第２スロット１０６の平面視形状は、スロットアンテナＳ１の指向性を均等にするために、給電部１０７の長手方向に沿った中心線を基準軸として軸対称な形状とするのが好ましい。また、第１スロット１０５及び第２スロット１０６の縁は直線状に限られず、曲線や指数関数としてもよい。
【００９６】
ここで、この図６，図７（ａ）のスロットアンテナＳ１では、垂直面に配置されたＺ方向スロット（Ｓ１ｚ）は水平偏波のアンテナとして作用するものである。そして、スロットアンテナＳ１の水平偏波のＸＹ平面（水平面）における指向性は、図８（ａ）に示すごとく略無指向性となっている。
【００９７】
また、この図６，図７（ｂ）のスロットアンテナＳ２では、水平面に配置されたＸ方向スロット（Ｓ１ｘ）は垂直偏波のアンテナとして作用するものであり、水平面に配置されたＹ方向スロット（Ｓ１ｙ）は垂直偏波のアンテナとして作用するものである。
【００９８】
そして、スロットアンテナＳ１のＸ方向スロットＳ１ｘによる垂直偏波はＹＺ平面には略無指向性であるが、他の機器と通信する際に有効なＸＹ平面（水平面）における指向性は、第１実施形態で図５（ｂ）に示したごとく、Ｙ方向に指向性を有し、Ｘ方向には感度を有しない状態になっている。
【００９９】
また、スロットアンテナＳ２のＸ方向スロットＳ２ｘによる垂直偏波はＹＺ平面には略無指向性であるが、他の機器と通信する際に有効なＸＹ平面（水平面）における指向性は、第１実施形態で図５（ｂ）に示したごとく、Ｙ方向に指向性を有し、Ｘ方向には感度を有しない状態になっている。
【０１００】
一方、スロットアンテナＳ２のＹ方向スロットＳ２ｙによる垂直偏波はＸＺ平面には略無指向性であるが、他の機器と通信する際に有効なＸＹ平面（水平面）における指向性は、第１実施形態で図５（ｂ）に示した指向性と９０度ずれた状態であり、Ｘ方向に指向性を有し、Ｙ方向には感度を有しない状態になっている。
【０１０１】
よって、スロットアンテナＳ１のＸ方向スロットＳ１ｘと、スロットアンテナＳ２のＸ方向スロットＳ２ｘと、スロットアンテナＳ２のＹ方向スロットＳ２ｙと、による垂直偏波のＸＹ平面における合成指向性は、図８（ｂ）のようになっている。すなわち、Ｓ１ｘ，Ｓ２ｘ，Ｓ２ｙが互いに指向性を補い合って、大きな感度低下が生じない指向性になっている。
【０１０２】
すなわち、２つのＬ字状のスロットアンテナＳ１，Ｓ２が互いに直交するスロットを有するように、すなわち、ＸＹＺ各方向にスロットを有するように配置することにより、互いの指向性のヌルを補いあうため、極端に大きなヌルが無くなり、ほぼ全方向に対して均一な指向性を示すようになる。また、２つの角部に２つのスロットアンテナＳ１，Ｓ２が配置されているため、設置状況に応じて発生する障害物等の影響を低減し高感度な特性を得ることができる。
【０１０３】
従って、この第２実施形態のノート型パソコン２０では、電子機器の導電性筐体もしくは導電性フレームの角部の直交する２面に設けられたスロットで構成される第一スロットアンテナＳ１と、前記第一スロットアンテナの２面と直交する面を有し、前記第一スロットアンテナの角部とは異なる導電性筐体もしくは前記導電性フレームの角部の直交する２面に設けられたスロットで構成される第二スロットアンテナＳ２とを備えるため、Ｚ軸方向のスロットではＸＹ平面の無指向性の水平偏波に対応でき、Ｘ軸方向のスロットではＺＹ平面の垂直偏波に対応でき、Ｙ軸方向のスロットではＸＺ平面の垂直偏波に対応できる。
【０１０４】
また、電子機器の導電性筐体もしくは導電性フレームそのものにスロットを設けることで、筐体そのものがアンテナとなるため、部品点数や取り付け工数の増加の発生させることがない。
【０１０５】
この結果、最低限の素子で水平偏波及び垂直偏波の両方に対応しつつ、各方向の無指向性を実現可能であり、部品点数や製造工数の増加を発生させることのないアンテナを備えた電子機器を提供することが可能になる。
【０１０６】
また、該電子機器の使用状態において、第二スロットアンテナが設けられる角部は、少なくとも、第一スロットアンテナが設けられた角部における２面と直交する面を有するように構成されているため、機器使用状態において水平偏波及び垂直偏波の両方に対応しつつ各方向の無指向性を実現可能である。
【０１０７】
なお、以上の第２実施形態の説明では、電子機器として、事務用電子機器のノート型パソコン２０を具体例にしてきたが、これに限定されるものではない。たとえば、事務用電子機器として、据え置き型パソコン、据え置き型パソコンのディスプレイ、複写機、医療用機器（医療用コンソールや医療用診断（治療）機器）など、各種の電子機器に、以上の実施形態を適用して良好な結果を得ることが可能になる。
【０１０８】
〔第３実施形態〕
この第３実施形態では、電子機器として事務用電子機器の複写機３０を例示して説明する。図９は、本実施形態に係る電子機器としての複写機３０を示す全体図である。
【０１０９】
この図９に示すように、複写機３０は、内部に画像形成部を備えた装置本体部３１を有している。装置本体部３１の上面には、画像読取部３２及び操作部３３が備えられており、装置本体部３１の上方には、原稿給送部（ＡＤＦ：Auto Document Feeder）３４が設置されている。また、装置本体部３１の下方には、給紙部３５が設置されている。
【０１１０】
画像読取部３２は、ＣＣＤ（Charge Coupled Device）センサ、露光ランプ等を備えたスキャナを有しており、原稿給送部３４より搬送された原稿を光走査し、ＣＣＤセンサにより光電変換することで原稿画像を読み取る。
画像読取部３２により読み取られた原稿画像データには、各種画像処理が施され、プリント用画像データとして装置本体部３１内部の画像形成部に出力される。画像形成部は、電子写真方式の画像形成を行うものであり、給紙部から給紙された記録媒体である記録用紙に画像形成を行う。
【０１１１】
また、操作部３３は、各種操作画面や設定内容等を表示する表示部３６、及び各種キーやプリント開始を指示するためのスタートボタン等を備えている。
原稿給送部３４は、原稿載置台３７に載置された原稿を自動的に画像読取部３２に搬送し、画像読取部３２により読取られた原稿を排出部３８へ搬送するものである。また、原稿給送部３４は、装置本体部３１の背面側を支点として、装置本体部３１の上面（画像読取部３２）に対して起倒可能に構成されている。原稿給送部３４の３箇所の角部には３つのスロットアンテナＳ１，Ｓ２，Ｓ３が設けられている。
【０１１２】
また、装置本体部３１には、無線通信回路が内蔵されており、無線通信回路には３つのスロットアンテナＳ１，Ｓ２，Ｓ３が接続されている。
３つのスロットアンテナＳ１，Ｓ２，Ｓ３のぞれぞれの基本的な構成は、第１実施形態のスロットアンテナＳ１、第２実施形態のスロットアンテナＳ１，Ｓ２と同様である。
【０１１３】
また、３つのスロットアンテナＳ１，Ｓ２，Ｓ３が設けられている以外の構成の説明は、第１実施形態、第２実施形態と同様なので省略する。
この第３実施形態においても、第１実施形態として図４で説明したものと同様に、スロットアンテナＳ１〜Ｓ３について、距離Ｌ１、Ｌ２、Ｌ３の相違量が大きくなるほどこれらの共振点の周波数が分散し、従来のスロット型ボウタイアンテナ（不図示）と比較しても、より広い周波数領域でリターンロスが低減されるため好ましい。また、第１スロット１０５の給電部１０７が連結される辺の両端の角部が弧状に形成されているので、伝送線路１０８から金属層１０３への電流が流れやすく、インピーダンス整合がとりやすいため、リターンロスを低減させて給電効率を向上させることができる。さらに、第１スロット１０５と第２スロット１０６の給電部１０７から他端までの距離Ｌ１，Ｌ２を調整することによって共振周波数を調整することができ、容易かつ柔軟に入力インピーダンスの調整が可能である。また、第１スロット１０５及び第２スロット１０６の平面視形状は、スロットアンテナＳ１の指向性を均等にするために、給電部１０７の長手方向に沿った中心線を基準軸として軸対称な形状とするのが好ましい。また、第１スロット１０５及び第２スロット１０６の縁は直線状に限られず、曲線や指数関数としてもよい。
【０１１４】
ここで、この図９のスロットアンテナＳ１では、垂直面に配置されたＺ方向スロット（Ｓ１ｚ）は水平偏波のアンテナとして作用するものである。そして、スロットアンテナＳ１の水平偏波のＸＹ平面（水平面）における指向性は、図１０（ａ）に示したごとく略無指向性となっている。
【０１１５】
また、この図９のスロットアンテナＳ２では、水平面に配置されたＸ方向スロット（Ｓ１ｘ）は垂直偏波のアンテナとして作用するものであり、水平面に配置されたＹ方向スロット（Ｓ１ｙ）は垂直偏波のアンテナとして作用するものである。
【０１１６】
そして、スロットアンテナＳ１のＸ方向スロットＳ１ｘによる垂直偏波はＹＺ平面には略無指向性であるが、他の機器と通信する際に有効なＸＹ平面（水平面）における指向性は、第１実施形態で図５（ｂ）に示したごとく、Ｙ方向に指向性を有し、Ｘ方向には感度を有しない状態になっている。
【０１１７】
また、スロットアンテナＳ２のＸ方向スロットＳ２ｘによる垂直偏波はＹＺ平面には略無指向性であるが、他の機器と通信する際に有効なＸＹ平面（水平面）における指向性は、第１実施形態で図５（ｂ）に示したごとく、Ｙ方向に指向性を有し、Ｘ方向には感度を有しない状態になっている。
【０１１８】
一方、スロットアンテナＳ２のＹ方向スロットＳ２ｙによる垂直偏波はＸＺ平面には略無指向性であるが、他の機器と通信する際に有効なＸＹ平面（水平面）における指向性は、第１実施形態で図５（ｂ）に示した指向性と９０度ずれた状態であり、Ｘ方向に指向性を有し、Ｙ方向には感度を有しない状態になっている。
【０１１９】
さらに、この図９のスロットアンテナＳ３では、垂直面に配置されたＺ方向スロット（Ｓ３ｚ）は水平偏波のアンテナとして作用するものであり、スロットアンテナＳ３の水平偏波のＸＹ平面（水平面）における指向性は、図８（ａ）に示したごとく略無指向性となっている。
【０１２０】
また、水平面に配置されたＹ方向スロット（Ｓ１ｙ）は垂直偏波のアンテナとして作用するものであり、スロットアンテナＳ３のＹ方向スロットＳ１ｙによる垂直偏波はＹＺ平面には略無指向性であるが、他の機器と通信する際に有効なＸＹ平面（水平面）における指向性は、第１実施形態で図５（ｂ）に示した指向性と９０度ずれた状態であり、Ｘ方向に指向性を有し、Ｙ方向には感度を有しない状態になっている。
【０１２１】
よって、スロットアンテナＳ１のＸ方向スロットＳ１ｘと、スロットアンテナＳ２のＸ方向スロットＳ２ｘと、スロットアンテナＳ２のＹ方向スロットＳ２ｙと、スロットアンテナＳ３のＹ方向スロットＳ３ｙと、による垂直偏波のＸＹ平面における合成指向性は、図１０（ｂ）のようになっている。
【０１２２】
すなわち、Ｓ１ｘ，Ｓ２ｘ，Ｓ２ｙ，Ｓ３ｙが互いに指向性を補い合って、第２実施形態の場合よりも感度低下が少なくなり、略全方位に渡って大きな感度低下が生じない指向性になっている。
【０１２３】
すなわち、２つのＬ字状のスロットアンテナＳ１，Ｓ２，Ｓ３が互いに直交するスロットを有するように、すなわち、ＸＹＺ各方向にスロットを有するように配置することにより、互いの指向性のヌルを補いあうため、極端に大きなヌルが無くなり、ほぼ全方向に対して均一な指向性を示すようになる。また、３つの角部に３つのスロットアンテナＳ１，Ｓ２，Ｓ３が配置されているため、設置状況に応じて発生する障害物等の影響を低減し高感度な特性を得ることができる。
【０１２４】
また、図９に示す原稿給送部３４は自動給送を行うために閉じた状態であるが、原稿手動配置のために原稿給送部３４を自由端を引き上げて開いた状態としても、以上のスロットアンテナＳ１，Ｓ２，Ｓ３は、それぞれのスロットがＸＹＺの各方向に配置された状態であり、指向性は図１０に示した通りの、略全方位無指向性を保った状態であり続ける。
【０１２５】
従って、この第３実施形態の複写機３０では、電子機器の導電性筐体もしくは導電性フレームの角部の直交する２面に設けられたスロットで構成され、互いに直交するスロットを有する第一スロットアンテナＳ１と、前記第一スロットアンテナの２面と直交する面を有し、前記第一スロットアンテナの角部とは異なる導電性筐体もしくは前記導電性フレームの角部の直交する２面に設けられたスロットで構成される第二スロットアンテナＳ２と、前記第一・第二スロットアンテナの２面と直交する面を有し、前記第一・第二スロットアンテナの角部とは異なる導電性筐体もしくは前記導電性フレームの角部の直交する２面に設けられたスロットで構成される第三スロットアンテナＳ３と、を備えるため、Ｚ軸方向のスロットではＸＹ平面の無指向性の水平偏波に対応でき、Ｘ軸方向のスロットではＺＹ平面の垂直偏波に対応でき、Ｙ軸方向のスロットではＸＺ平面の垂直偏波に対応できる。
【０１２６】
また、電子機器の導電性筐体もしくは導電性フレームそのものにスロットを設けることで、筐体そのものがアンテナとなるため、部品点数や取り付け工数の増加の発生させることがない。
【０１２７】
この結果、最低限の素子で水平偏波及び垂直偏波の両方に対応しつつ、各方向の無指向性を実現可能であり、部品点数や製造工数の増加を発生させることのないアンテナを備えた電子機器を提供することが可能になる。
【０１２８】
また、該電子機器の使用状態において、第二スロットアンテナが設けられる角部は、少なくとも、第一スロットアンテナが設けられた角部における２面と直交する面を有するように構成されているため、第三スロットアンテナが設けられる角部は、少なくとも、第一・第二スロットアンテナが設けられた角部における２面と直交する面を有するように構成されているため、機器使用状態において水平偏波及び垂直偏波の両方に対応しつつ各方向の無指向性を実現可能である。
【０１２９】
なお、以上の第３実施形態の説明では、電子機器として、事務用電子機器の複写機３０を具体例にしてきたが、これに限定されるものではない。たとえば、事務用電子機器として、ノート型パソコン、据え置き型パソコン、据え置き型パソコンのディスプレイ、医療用機器（医療用コンソールや医療用診断（治療）機器）など、各種の電子機器に、以上の実施形態を適用して良好な結果を得ることが可能になる。
【０１３０】
〔第４実施形態〕
この第４実施形態では、電子機器として医療用電子機器４０を例示して説明する。図１１は、本実施形態に係る電子機器としての医療用電子機器４０を示す全体図である。
【０１３１】
この図１１に示すように、医療用電子機器４０は、内部に各種処理部を備えた装置本体部４１を有している。装置本体部４１の上面には、操作部４４と表示部４２とが設置されている。
【０１３２】
ここでは、表示部４２の３箇所の角部には３つのスロットアンテナＳ１，Ｓ２，Ｓ３が設けられている。
また、装置本体部４１には、無線通信回路が内蔵されており、無線通信回路には３つのスロットアンテナＳ１，Ｓ２，Ｓ３が接続されている。
【０１３３】
３つのスロットアンテナＳ１，Ｓ２，Ｓ３のぞれぞれの基本的な構成は、第３実施形態のスロットアンテナＳ１，Ｓ２，Ｓ３と同様である。また、３つのスロットアンテナＳ１，Ｓ２，Ｓ３が設けられている以外の構成の説明は、第１実施形態、第２実施形態、第２実施形態と同様なので省略する。
【０１３４】
この第４実施形態においても、第１実施形態として図４で説明したものと同様に、スロットアンテナＳ１〜Ｓ３について、距離Ｌ１、Ｌ２、Ｌ３の相違量が大きくなるほどこれらの共振点の周波数が分散し、従来のスロット型ボウタイアンテナ（不図示）と比較しても、より広い周波数領域でリターンロスが低減されるため好ましい。また、第１スロット１０５の給電部１０７が連結される辺の両端の角部が弧状に形成されているので、伝送線路１０８から金属層１０３への電流が流れやすく、インピーダンス整合がとりやすいため、リターンロスを低減させて給電効率を向上させることができる。さらに、第１スロット１０５と第２スロット１０６の給電部１０７から他端までの距離Ｌ１，Ｌ２を調整することによって共振周波数を調整することができ、容易かつ柔軟に入力インピーダンスの調整が可能である。また、第１スロット１０５及び第２スロット１０６の平面視形状は、スロットアンテナＳ１の指向性を均等にするために、給電部１０７の長手方向に沿った中心線を基準軸として軸対称な形状とするのが好ましい。また、第１スロット１０５及び第２スロット１０６の縁は直線状に限られず、曲線や指数関数としてもよい。
【０１３５】
ここで、この図１１のスロットアンテナＳ１では、垂直面に配置されたＺ方向スロット（Ｓ１ｚ）は水平偏波のアンテナとして作用するものである。そして、スロットアンテナＳ１の水平偏波のＸＹ平面（水平面）における指向性は、図１０（ａ）に示したごとく略無指向性となっている。
【０１３６】
また、この図１１のスロットアンテナＳ２では、水平面に配置されたＸ方向スロット（Ｓ１ｘ）は垂直偏波のアンテナとして作用するものであり、水平面に配置されたＹ方向スロット（Ｓ１ｙ）は垂直偏波のアンテナとして作用するものである。
【０１３７】
そして、スロットアンテナＳ１のＸ方向スロットＳ１ｘによる垂直偏波はＹＺ平面には略無指向性であるが、他の機器と通信する際に有効なＸＹ平面（水平面）における指向性は、第１実施形態で図５（ｂ）に示したごとく、Ｙ方向に指向性を有し、Ｘ方向には感度を有しない状態になっている。
【０１３８】
また、スロットアンテナＳ２のＸ方向スロットＳ２ｘによる垂直偏波はＹＺ平面には略無指向性であるが、他の機器と通信する際に有効なＸＹ平面（水平面）における指向性は、第１実施形態で図５（ｂ）に示したごとく、Ｙ方向に指向性を有し、Ｘ方向には感度を有しない状態になっている。
【０１３９】
一方、スロットアンテナＳ２のＹ方向スロットＳ２ｙによる垂直偏波はＸＺ平面には略無指向性であるが、他の機器と通信する際に有効なＸＹ平面（水平面）における指向性は、第１実施形態で図５（ｂ）に示した指向性と９０度ずれた状態であり、Ｘ方向に指向性を有し、Ｙ方向には感度を有しない状態になっている。
【０１４０】
また、この図１１のスロットアンテナＳ３では、垂直面に配置されたＺ方向スロット（Ｓ３ｚ）は水平偏波のアンテナとして作用するものであり、スロットアンテナＳ３の水平偏波のＸＹ平面（水平面）における指向性は、図８（ａ）に示したごとく略無指向性となっている。
【０１４１】
また、水平面に配置されたＹ方向スロット（Ｓ１ｙ）は垂直偏波のアンテナとして作用するものであり、スロットアンテナＳ３のＹ方向スロットＳ１ｙによる垂直偏波はＹＺ平面には略無指向性であるが、他の機器と通信する際に有効なＸＹ平面（水平面）における指向性は、第１実施形態で図５（ｂ）に示した指向性と９０度ずれた状態であり、Ｘ方向に指向性を有し、Ｙ方向には感度を有しない状態になっている。
【０１４２】
よって、スロットアンテナＳ１のＸ方向スロットＳ１ｘと、スロットアンテナＳ２のＸ方向スロットＳ２ｘと、スロットアンテナＳ２のＹ方向スロットＳ２ｙと、スロットアンテナＳ３のＹ方向スロットＳ３ｙと、による垂直偏波のＸＹ平面における合成指向性は、図１０（ｂ）のようになっている。
【０１４３】
すなわち、Ｓ１ｘ，Ｓ２ｘ，Ｓ２ｙ，Ｓ３ｙが互いに指向性を補い合って、第２実施形態の場合よりも感度低下が少なくなり、第３実施形態と同様に、略全方位に渡って大きな感度低下が生じない指向性になっている。
【０１４４】
すなわち、２つのＬ字状のスロットアンテナＳ１，Ｓ２，Ｓ３が互いに直交するスロットを有するように、すなわち、ＸＹＺ各方向にスロットを有するように配置することにより、互いの指向性のヌルを補いあうため、極端に大きなヌルが無くなり、ほぼ全方向に対して均一な指向性を示すようになる。また、３つの角部に３つのスロットアンテナＳ１，Ｓ２，Ｓ３が配置されているため、設置状況に応じて発生する障害物等の影響を低減し高感度な特性を得ることができる。
【０１４５】
また、図１１に示す表示部４２は固定された状態であるが、向きを変えられる液晶ディスプレイである場合にも、以上のスロットアンテナＳ１，Ｓ２，Ｓ３は、それぞれのスロットがＸＹＺの各方向に配置された状態であり、指向性は図１０に示した通りの、略全方位無指向性を保った状態であり続ける。
【０１４６】
従って、この第４実施形態の医療用電子機器４０では、電子機器の導電性筐体もしくは導電性フレームの角部の直交する２面に設けられたスロットで構成され、互いに直交するスロットを有する第一スロットアンテナＳ１と、前記第一スロットアンテナの２面と直交する面を有し、前記第一スロットアンテナの角部とは異なる導電性筐体もしくは前記導電性フレームの角部の直交する２面に設けられたスロットで構成される第二スロットアンテナＳ２と、前記第一・第二スロットアンテナの２面と直交する面を有し、前記第一・第二スロットアンテナの角部とは異なる導電性筐体もしくは前記導電性フレームの角部の直交する２面に設けられたスロットで構成される第三スロットアンテナＳ３と、を備えるため、Ｚ軸方向のスロットではＸＹ平面の無指向性の水平偏波に対応でき、Ｘ軸方向のスロットではＺＹ平面の垂直偏波に対応でき、Ｙ軸方向のスロットではＸＺ平面の垂直偏波に対応できる。
【０１４７】
また、電子機器の導電性筐体もしくは導電性フレームそのものにスロットを設けることで、筐体そのものがアンテナとなるため、部品点数や取り付け工数の増加の発生させることがない。
【０１４８】
この結果、最低限の素子で水平偏波及び垂直偏波の両方に対応しつつ、各方向の無指向性を実現可能であり、部品点数や製造工数の増加を発生させることのないアンテナを備えた電子機器を提供することが可能になる。
【０１４９】
また、該電子機器の使用状態において、第二スロットアンテナが設けられる角部は、少なくとも、第一スロットアンテナが設けられた角部における２面と直交する面を有するように構成されているため、第三スロットアンテナが設けられる角部は、少なくとも、第一・第二スロットアンテナが設けられた角部における２面と直交する面を有するように構成されているため、機器使用状態において水平偏波及び垂直偏波の両方に対応しつつ各方向の無指向性を実現可能である。
【０１５０】
なお、以上の第４実施形態の説明では、電子機器として、医療用コンソールなどの医療用電子機器４０を具体例にしてきたが、これに限定されるものではない。たとえば、他の医療用機器（医療用診断（治療）機器）、コンピュータサーバなど、各種の電子機器に、以上の実施形態を適用して良好な結果を得ることが可能になる。
【０１５１】
〔第５実施形態〕
以上の第１実施形態〜第４実施形態では、半円形状の第１スロットと台形状の第２スロットとを、角部のそれぞれの面に配したＬ字状のスロットアンテナを用いていた。
【０１５２】
ここで、第５実施形態では、図１２に示すように、電子機器の導電性筐体もしくは導電性フレームの角部の直交する水平面と垂直面との２つの面にまたがるように曲線部を含むスロット（半円形状の第１スロット相当）が設けられ、前記角部の直交する２つの面にまたがるように直線部で構成されたスロット（台形状の第２スロット）が設けられ、２つの前記スロットが接近する前記角部上の位置を給電部としたスロットアンテナである。なお、給電部には、無線通信回路からの給電がなされるように構成されている。なお、この図１２でも、給電は筐体内側からなされるため、図示されていない。
【０１５３】
すなわち、以上の第１実施形態〜第４実施形態では、直交する２つの面の一方の面に一方のスロットが配置され、直交する２つの面の他方の面に他方のスロットが配置されていた。これに対し、第５実施形態では、直交する２つの面に、２つのスロットそれぞれがまたがった状態で配置されている。そして、この第５実施形態でも、事務機器や医療用機器など各種の電子機器の導電性の筐体や導電性のフレームに、以上のアンテナが配置される。
【０１５４】
なお、以上の曲線部を含む半円形状のスロットと直線部で構成された台形状のスロットとは、図１２の例とは逆に配置されていても良い。
そして、この第５実施形態においても、第１実施形態として図４で説明したものと同様に、スロットアンテナについて、距離Ｌ１、Ｌ２、Ｌ３の相違量が大きくなるほどこれらの共振点の周波数が分散し、従来のスロット型ボウタイアンテナ（不図示）と比較しても、より広い周波数領域でリターンロスが低減されるため好ましい。
【０１５５】
ここで、図１２には、広帯域で良好な特性を有するスロットアンテナとして発明者が作成したものの具体的数値を示している。
この例では、第一スロットの円弧部分について、円弧の弦の部分が、15mmずつ直交する面にまたがって配置されている。また、台形の平行短辺（一般的には「台形の上辺」に相当）が8mmmmずつ直交する面にまたがって配置され、第二スロットの台形部分の平行辺間（一般的には「台形の高さ」に相当）が30mm、台形の平行長辺（一般的には「台形の底辺」に相当）が10mmずつ直交する面にまたがって配置されている。そして、給電部は1mmの間隙として構成されている。
【０１５６】
これにより、インピーダンス300Ωで給電した場合、図１３に示すように、２．６ＧＨｚ〜７ＧＨｚ、９．８ＧＨｚ〜１２ＧＨｚの広帯域で、リターンロスが−１０ｄＢ以下であり、良好な特性を有するスロットアンテナとして動作することが確認された。
【０１５７】
また、水平面（ＸＹ平面）にまたがるスロット部分からは垂直偏波の送受信がなされ、垂直面（ＸＺ平面あるいはＹＺ平面）にまたがるスロット部分からは水平偏波の送受信がなされるため、水平偏波と垂直偏波のそれぞれで十分実用になる指向性を有することも確認された。
【０１５８】
また、この場合の２．６ＧＨｚ〜１２ＧＨｚにおけるインピーダンス特性は図１４のようになっており、この具体例ではインピーダンス３００±１００Ωで使用可能な周波数帯域が３−９ＧＨｚ程度になっており、広帯域のアンテナとしてインピーダンスの変動の小さい良好な結果が得られることが確認された。
【０１５９】
従って、この第５実施形態でも、電子機器の導電性筐体もしくは導電性フレームそのものにスロットを設けることで、筐体そのものがアンテナとなるため、部品点数や取り付け工数の増加の発生させることがない。この結果、最低限の素子で水平偏波及び垂直偏波の両方に対応しつつ、各方向の無指向性を実現可能であり、部品点数や製造工数の増加を発生させることのないアンテナを備えた電子機器を提供することが可能になる。
【０１６０】
また、該電子機器の使用状態において、第２実施形態や第３実施形態などと同様に、ＸＹＺの異なる方向の面にスロットを配置することで、電子機器使用状態において水平偏波及び垂直偏波の両方に対応しつつ各方向の無指向性を実現可能になる。
【０１６１】
なお、この第５実施形態においても、電子機器として、コンピュータや複写機なやプリンタなどの電子機器や医療用コンソールや検査機器などの医療用電子機器、コンピュータサーバなど、各種の電子機器に適用して良好な結果を得ることが可能になる。
【０１６２】
〔第６実施形態〕
以上の第１実施形態〜第４実施形態では、半円形状の第１スロットと台形状の第２スロットとを、角部のそれぞれの面に配したＬ字状のスロットアンテナを用いていた。
【０１６３】
また、以上の第５実施形態では、角部の直交する水平面と垂直面との２つの面にまたがるように、半円形状の第１スロットと台形状の第２スロットとが設けられていた。
ここで、第６実施形態では、図１５に示すように、電子機器の導電性筐体もしくは導電性フレームの角部の直交する水平面と垂直面との２面うちの一方の面に曲線部を含むスロット（第５実施形態の２つの面にまたがる半円形状の第１スロットの一方の面の部分（１／４円）のみ）が設けられ、前記角部の他方の面に直線部で構成されたスロット（第５実施形態の２つの面にまたがる台形状の第２スロットの他方の面の部分のみ）が設けられて、スロットアンテナが構成されている。なお、給電部には、無線通信回路からの給電がなされるように構成されている。なお、この図１２でも、給電は筐体内側からなされるため、図示されていない。
【０１６４】
すなわち、直交する２面のそれぞれに第１スロットと第２スロットとが配置されている点では、第１〜第４実施形態と同様ではあるが、スロットの形状としては第５実施形態のスロットを半分にして直交する面それぞれにスロットが配置された状態に構成されている。
【０１６５】
そして、この第６実施形態においても、第１実施形態として図４で説明したものと同様に、スロットアンテナについて、距離Ｌ１、Ｌ２、Ｌ３の相違量が大きくなるほどこれらの共振点の周波数が分散し、従来のスロット型ボウタイアンテナ（不図示）と比較しても、より広い周波数領域でリターンロスが低減されるため好ましい。
【０１６６】
ここで、図１５には、広帯域で良好な特性を有するスロットアンテナとして発明者が作成したものの具体的数値を示している。
この例では、第一スロットの１／４円弧部分について、円弧の半径に相当する部分が、一方の面に15mm配置されている。また、台形の平行短辺（一般的には「台形の上辺」に相当）が他方の面に8mmmm配置され、第二スロットの台形部分の平行辺間（一般的には「台形の高さ」に相当）が30mm、台形の平行長辺（一般的には「台形の底辺」に相当）が10mm配置されている。そして、給電部は1mmの間隙として構成されている。
【０１６７】
これにより、インピーダンス150Ωで給電した場合、図１６に示すように、３．１ＧＨｚ〜１０．６ＧＨｚの広帯域で、リターンロスが−１０ｄＢ以下であり、第５実施形態よりも更に良好な特性を有するスロットアンテナとして動作することが確認された。
【０１６８】
また、水平面（ＸＹ平面）にまたがるスロット部分からは垂直偏波の送受信がなされ、垂直面（ＸＺ平面あるいはＹＺ平面）にまたがるスロット部分からは水平偏波の送受信がなされるため、水平偏波と垂直偏波のそれぞれで十分実用になる指向性を有することも確認された。
【０１６９】
また、この場合の３．１ＧＨｚ〜１０．６ＧＨｚにおけるインピーダンス特性は図１７のようになっており、この具体例ではインピーダンス１５０±５０Ωで使用可能な周波数帯域が３．０−９．５ＧＨｚ程度になっており、広帯域のアンテナとしてインピーダンスの変動の小さい良好な結果が得られることが確認された。
【０１７０】
また、スロットをそれぞれ半分にしたことで自己補対構造となり、第５実施形態の場合よりもインピーダンスを低くすることができ、使いやすい状態にすることができた。
従って、この第６実施形態でも、電子機器の導電性筐体もしくは導電性フレームそのものにスロットを設けることで、筐体そのものがアンテナとなるため、部品点数や取り付け工数の増加の発生させることがない。この結果、最低限の素子で水平偏波及び垂直偏波の両方に対応しつつ、各方向の無指向性を実現可能であり、部品点数や製造工数の増加を発生させることのないアンテナを備えた電子機器を提供することが可能になる。
【０１７１】
また、該電子機器の使用状態において、第２実施形態や第３実施形態などと同様に、ＸＹＺの異なる方向の面にスロットを配置することで、電子機器使用状態において水平偏波及び垂直偏波の両方に対応しつつ各方向の無指向性を実現可能になる。
【０１７２】
なお、この第６実施形態においても、電子機器として、コンピュータや複写機なやプリンタなどの電子機器や医療用コンソールや検査機器などの医療用電子機器、コンピュータサーバなど、各種の電子機器に適用して良好な結果を得ることが可能になる。
【０１７３】
〔その他の実施形態(1)〕
なお、電子機器の導電性の筐体に形成するスロットアンテナの数やその設置箇所は、必要に応じて設定されるものである。
【０１７４】
〔その他の実施形態(2)〕
なお、電子機器の導電性の筐体に形成するスロットアンテナの、同じ軸方向のエレメント、Ｓ１ｚとＳ３ｚ、Ｓ１ｘとＳ２ｘなどについて、電子機器において離れた角部、本体部やディスプレイ部などの異なる部位の角部、などに配置するように各スロットアンテナＳ１〜Ｓ３を配置することで、空間ダイバシティ効果により、感度や指向性を補い合って、良好な結果を得ることができる。
【０１７５】
〔その他の実施形態(3)〕
また、Ｓ１ｚやＳ３ｚなど同じ垂直ｚ方向のスロットであっても、電子機器の左右に分かれるように各スロットアンテナＳ１〜Ｓ３を配置することで、電子機器本体に隠れない（遮られない）自由空間が異なる方向に開けるようになるため、空間ダイバシティ効果により、感度や指向性を補い合って、良好な結果を得ることができる。
【符号の説明】
【０１７６】
Ｓ１〜Ｓ３  スロットアンテナ
１０ ノート型パソコン
１１ 装置本体部
１２ 蓋部
１３ ヒンジ部
１４ キーボード
２０  ノート型パソコン
３０  複写機
４０  医療用電子機器
【図１】
2010187152.tif 000003
【図２】
2010187152.tif 000004
【図３】
2010187152.tif 000005
【図４】
2010187152.tif 000006
【図５】
2010187152.tif 000007
【図６】
2010187152.tif 000008
【図７】
2010187152.tif 000009
【図８】
2010187152.tif 000010
【図９】
2010187152.tif 000011
【図１０】
2010187152.tif 000012
【図１１】
2010187152.tif 000013
【図１２】
2010187152.tif 000014
【図１３】
2010187152.tif 000015
【図１４】
2010187152.tif 000016
【図１５】
2010187152.tif 000017
【図１６】
2010187152.tif 000018
【図１７】
2010187152.tif 000019